(57)【要約】【課題】  映像・音声の高画質・高音質化に伴いデータが膨大に増加しヘリカル式テープ記録系でもトラック幅が非常に狭くなって来て、従来の編集方法ではある特定のトラックへの上書きが物理的に不可能となるので上書きを行うことなく映像・音声の高画質・高音質化データを編集する。【解決手段】  現在大容量高速転送が可能なＨＤＤ２８を用いてデータを圧縮せずにＨＤＤ２８上で映像・音声の編集を行い大容量・高速転送・高速アクセス可能なテープストレージ２４から編集に必要と思われるデータを全てＨＤＤ２８に吸い上げて映像・音声の編集を行う。すなはち、編集したい部分を一旦機器内臓のテープストレージ２４の編集メディア２５にコピーし、外部編集システム３１のＨＤＤ２８+ＰＣ２９を使用して編集した後、編集データ３３をオリジナルマスターテープ２５にコピーすることで不具合箇所の「上書き」をしないため、正確なフレーム位置検出やそれにかかる時間が不要となり、スピーディーな編集作業が可能となる。【選択図】        図１
2005260859.tif 000002
【特許請求の範囲】
【請求項１】
映像または／および音響信号をデジタル変換した映像または／および音響用のデータ素材をマスターテープに記録すると共に再生可能な第１の記録・再生手段と、
上記第１の記録・再生手段で再生した上記マスターテープに記録した上記データ素材を第２の記録・再生手段およびコンピュ―タとで構成された記録媒体に記録すると共に再生し、各種編集を行う外部編集手段と、
上記外部編集手段で編集した編集データを上記第１の記録・再生手段のマスターテープにコピーすることで編集マスターテープを作成する様になしたことを特徴とするデータ編集システム。
【請求項２】
前記第１の記録・再生手段が大容量、高速テープストレージであることを特徴とする請求項１項の記載のデータ編集システム。
【請求項３】
前記第２の記録・再生手段がハードディスクドライブ（ＨＤＤ）であることを特徴とする請求項１記載のデータ編集システム。
【請求項４】
映像または／および音響信号をデジタル変換した映像または／および音響用のデータ素材をマスターテープに記録すると共に再生する第１の記録・再生プロセスと、
上記第１の記録・再生プロセスで再生した上記マスターテープに記録した上記データ素材を記録・再生し、コンピュ―により該記録媒体に記録した上記データ素材に各種編集を行う外部編集プロセスと、
上記外部編集プロセスで編集した上記編集データを上記第１の記録・再生プロセスで得た該マスターテープにコピーすることで編集マスターテープを作成する様になしたことを特徴とするデータ編集方法。
【発明の詳細な説明】
【技術分野】
【０００１】
本発明は、映像、音響データの編集システムおよび編集方法並びにデータ編集装置に係わり、特に、マスターテープを外部編集システムで編集し、この編集素材をマスターテープにコピーして編集マスターテープを得るようにしたデータ編集システムおよびデータ編集方法に関する。
【背景技術】
【０００２】
従来から、映像信号や音声信号を２台のＶＴＲ（ビデオテープレコーダ）を用いて一方の再生用ＶＴＲにセットしたマスターテープの必要とする素材を他方の記録用ＶＴＲにコピーする様にしたテープ・ツー・テープ編集方法がよく知られている。この編集方法の編集モードとしてはＶＴＲの「つなぎどり」を行うアッセンブル編集や途中からショット等の素材の挿入を行うインサート編集が任意に選択可能である。
【０００３】
図７はテープ・ツー・テープ編集システムを示すもので、その概要は特許文献１に開示されている。図７において、１は全体として編集システムを示すもので、２は第１の再生用のＶＴＲ（プレーヤ）、３は第２の記録用のＶＴＲ（レコーダ）、４はリモートコントローラ、５、６はモニタ用の表示器を示す。
【０００４】
上述の編集システム１のプレーヤ２によって、たとえば、図８（Ａ）に示すマスターテープ７にデータ素材が記録済みの各セッション１〜Ｎを再生させた結果２セッションをベースに１セッションの「イ」部分、Ｎ−１セッションの「ロ」部分、３セッションの「ニ」部分をインサート編集すると共に「ハ」部分はマスターテープ中に最適なデータ素材が無いため他の記録・再生装置から、または生演奏の再演データをインサート編集するものとする。図８（Ａ）ではＩＮ／ＯＵＴ点（イン／アウト点）も確認済みのマスターテープ７とする。
【０００５】
上述のマスターテープ７を図７のレコーダ３側で図８（Ｂ）に示す様に編集して編集マスターテープ８を作成する場合、「イ」部分、「ロ」部分、「ハ」部分、「ニ」部分のインサート編集毎にプレーヤ２／レコーダ３によってプリロール動作が必要となる。このようなプリロール動作を以下、図９によって説明する。
【０００６】
図９はプリロール動作説明図であり、いま、マスターテープ７の１セッション内の「イ」部分を編集マスターテープ８の１セッション内の「イ」部分にインサート編集する場合について説明する。プレーヤ２およびレコーダ３においてはＩＮ点からテープ７、８を再生して編集操作に入ると映像が乱れるためにインサート編集時はエデット（Ｅｄｉｔ）ボタンが押されると、プレーヤ２およびレコーダ３は共にＩＮ点より数秒前（図９では３秒前）に高速に逆方向に巻き戻されて、ＩＮ点の３秒前の位置まで来ると一時停止状態に入る。
【０００７】
次に、プレーヤ２、レコーダ３共に順方向で走行を開始し、ＩＮ点からＯＵＴ点まで編集が実行され、ＯＵＴ点から数フレーム分走行して、停止状態となり、レコーダ３側はＯＵＴ点まで戻って次の編集に備えるために待機する。
【０００８】
したがって、図８（Ａ）（Ｂ）で説明した様な何回かのインサート編集による上書きのたびにプレーヤ２およびレコーダ３で逆方向動作―１時停止―順方向動作―編集―停止―逆方向動作が行われるため、編集にきわめて、長い時間をかける必要があり多くの編集時間を必要とする課題を有していた。
【０００９】
また、２４フレームレートのオリジナルのマスタ映像信号から生成された３０フレームレートの映像信号を使用して、オフライン編集処理によって２４フレームレートの編集リストを生成するためのビデオデータ編集装置が特許文献２に開示されている。
【００１０】
上述のオフライン編集装置にはＨＤＤとパーソナルコンピュータ（ＰＣ）を用いた構成のノンリニア編集装置が示されている。ノンリニア編集装置は、ランダムアクセス可能な記録媒体を有したＨＤＤ、デスクトップでの編集が可能なＰＣ等から構成されている。ノンリニア編集機は、ＶＴＲから出力された３０フレームレートのＳＤ（標準）デジタル映像信号を受け取り、ハードディスクの様な記録媒体上に２４フレームレートのＳＤデジタル映像信号を記録するようにテープ上に記録された映像素材をランダムアクセス記録する。
【００１１】
このノンリニア編集機は２４フレームレートから３０フレームレートに変換する際に追加されたリピートフィールドがハードディスクには記録されないように、記録処理が行われる。
【００１２】
このノンリニア編集機を使用してオフライン編集処理を行う場合には、編集オペレータが、ＰＣのディスプレイに表示されたＧＵＩ（グラフィカル・ユーザ・インターフェース）を操作すると、ハードディスクに記録された２４フレームレートのデジタル映像信号がアクセスされ、そのアクセスに伴って編集点を決めたり、エフェクトを設定したりする。その結果、２４フレームレートの編集リスト（ＥＤＬ）（Ｅｄｉｔｉｎｇ Ｄｅｃｉｓｉｏｎ Ｌｉｓｔ）を生成する。
【００１３】
なお、このＶＴＲとノンリニア編集機から構成されるオフライン編集システムは、編集者によって行われた編集処理の結果、編集された映像プログラムを制作するための装置ではなく、あくまでも後段のオンラインプロセスで使用される編集リストを作成するための装置である。
【００１４】
通常の編集処理において、編集者が最も時間を使うのは、編集点を決めたり、エフェクトを決めたりする作業、つまり編集リストを作成する作業であって、その作業には数時間から数十時間が必要とされる。放送局用のビデオテープレコーダから構成されるオンライン編集システムは、非常に高価なシステムのため、大きな放送局でさえも数が限られており、単に編集リストを作成する作業のために、そのような高価なシステムを数時間又は数十時間占有することはコストの面でも無駄となることを防ぐために、特許文献２に記載の技術ではオフライン編集システムおよびオンライン編集システムを利用した編集システムを構成している。
【００１５】
上述の様に、従来の構成によると、ヘリカル式テープパスのＶＴＲやテープストレージを音声・映像（ＡＶ）編集用マルチトラックのプレーヤおよびレコーダへ利用した場合、過去の編集慣習からあるトラックへの上書き（パンチイン）が頻繁に行われるが、音声・映像ともデジタル化に伴いデータ量が膨大に増加しＶＴＲやテープストレージの容量アップにより記録するテープパターンのトラック幅が従来に比べ、かなり狭くなってきている。よって、あるトラックへの重ね書き（上書き）がヘリカル式テープパスの機構上困難になってきている。現状のデジタル映像データの編集精度を考慮した場合の最小トラック幅は１５μmであり、容量も５０ＧＢ前後である。
【００１６】
今後、予想される高音質収録を目的としたハイビジョン映像データをＶＴＲやテープストレージに記録する場合にはテラバイト級の容量が求められ、記録密度がさらにアップするため最小トラック幅は１０μｍ以下になり、その場合、従来の上書きが現実的に不可能となる。よって、使用する編集機器は上述の様にＨＤＤに置き換わっているのが現状であるが、オリジナルのマスターテープ・編集マスターテープの保管時における信頼性確保や運用時の可搬性を考慮するとテープメディアにも利点が生ずる。
【特許文献１】ＶＴＲ関連基礎講座、ラジオ技術社、昭和５６年９月１６日発行、                       テープ・ツー・テープ編集、第２０８〜２０９ページ
【特許文献２】特開２００２−１２５１９２号公報（図１）
【発明の開示】
【発明が解決しようとする課題】
【００１７】
本発明が解決しようとする課題は、上述の様に、従来のＶＴＲ系編集システムでの映像系はインサート／アッセンブリー編集とも複数のＶＴＲを使用して編集を行った後に音声をアフレコする手法が一般的であり、編集素材のタイムコードに行くまでのＦＦ/ＲＥＷ（早送り／巻き戻し）時間および編集ポイントのＩＮ点／ＯＵＴ点を指定した後のスタートによる調走時間等がＶＴＲ系のリニア編集の課題であった。また上述の様にＶＴＲ＋ＨＤＤ＋ＰＣによるハイブリッド編集にしても従来型のＶＴＲを使用すると上記の課題は完全に克服出来ない問題があった。
【００１８】
したがって、第１の本発明が解決しようとする課題は、ＶＴＲのメカ系に起因するアクセス時間が多くかかるような上書操作を行わずに編集可能なデータ編集システムおよびデータ編集方法を得ることを課題とする。
【００１９】
また、第２の本発明のが解決しようとする課題は、ＮＴ（ノントラッキング）再生したデータを複雑な編集装置（高価な編集装置）を使用せずにマスターテープに編集記録し、編集済みの編集マスターテープを編集可能なデータ編集システムおよびデータ編集方法を得ることを課題とする。
【課題を解決するための手段】
【００２０】
第１の本発明は、映像または／および音響信号をデジタル変換した映像または／および音響用のデータ素材をマスターテープに記録すると共に再生可能な第１の記録・再生手段と、この第１の記録・再生手段で再生したマスターテープに記録したデータ素材を第２の記録・再生手段およびコンピュ―タとで構成された記録媒体に記録すると共に再生し、各種編集を行う外部編集手段と、この外部編集手段で編集した編集データを第１の記録・再生手段のマスターテープにコピーすることで編集マスターテープを作成する様になしたことを特徴とするデータ編集システムとしたものである。
【００２１】
第２の本発明は、映像または／および音響信号をデジタル変換した映像または／および音響用のデータ素材をマスターテープに記録すると共に再生する第１の記録・再生プロセスと、この第１の記録・再生プロセスで再生したマスターテープに記録したデータ素材を記録・再生し、コンピュ―により記録媒体に記録したデータ素材に各種編集を行う外部編集プロセスと、この外部編集プロセスで編集した編集データを第１の記録・再生プロセスで得たマスターテープにコピーすることで編集マスターテープを作成する様になしたことを特徴とするデータ編集方法としたものである。
【００２２】
すなわち、現在、大容量高速転送が可能なＨＤＤが製品化されるにおよんでデータを圧縮せずにＨＤＤで映像・音声の編集が可能となって来ている。本発明は、この点に着目し、大容量・高速転送・高速アクセス可能なテープストレージ等の第１の記録・再生手段（ＶＴＲ）から編集に必要と思われるデータを全てＨＤＤ＋ＰＣよりなる外部編集手段に吸い上げて映像・音声の編集を行なうことで各種編集(上書)等の複雑な作業は無く、大容量・非圧縮・狭トラックのテープパターンの記録された、マスターテープから大容量のデータを正確に読み取り、編集ベンチであるＨＤＤ＋ＰＣからなる外部編集手段にデータを高速転送した後に編集データをマスターテープにコピーすることで上書きすることなく編集マスターテープを編集する様にしたものである。  
【発明の効果】
【００２３】
第１および第２の本発明のデータ編集システムおよびデータ編集方法によると、極めて、廉価なシステムによって、大容量の映像・音声データのマスターテープを簡単にコピーするだけで、上書きの出来ない挟マルチトラックに記録した各セッション全ての編集が可能であり、編集済みの編集マスターテープは元のマスターテープ１巻に保管出来るのでマスターテープの１部を変更する必要が無いものが得られる。
【００２４】
また、編集マスターテープもマスターテープと共に保管でき、編集に使用した各種データが付記されておりマスターテープ１巻にセッション全ての情報および編集マスターテープの情報が網羅されているので再編集にも便利である。
【００２５】
記録メディアがカセットテープのためディスク等に比べ大容量化が可能で、保管時の信頼性、運用時の可搬性が非常に良いものが得られる。
【発明を実施するための最良の形態】
【００２６】
以下、本発明のデータ編集システムおよびデータ編集方法の１形態例を図１乃至図６によって詳記する。図１は本発明のデータ編集システムおよびデータ編集方法の１形態例を示すブロック図、図２および図３はセッション内のマルチトラックデータを説明するためのトラック図、図４は本発明のデータ編集システムおよびデータ編集方法のスタジオ収録方法を説明するためのテープパターン図、図５は本発明のデータ編集システムおよびデータ編集方法のライブ収録方法を説明するためのテープパターン図、図６は本発明のデータ編集システムおよびデータ編集方法の具体的なハイブリッド編集による収録方法を説明するためのテープパターン図である。
【００２７】
以下、本発明の１形態例を図面に基づいて説明する。図１は本発明のデータ編集システムとしてノンリニア編集手段を用いたブロック図を示すものである。
【００２８】
図１において、本発明のデータ編集システム２０は、複数のビデオカメラ２１ａ〜２１ｎ、複数のマイクロホン２２ａ〜２２ｎ、アナログーデジタル変換器（ＡＤＣ）を含むビデオ／オーディオ(映像／音響)・インターフェース２３、オリジナルのマスターテープ２５および編集マスターテープ２６と成るテープを内蔵したテープカートリジ２７を記録・再生するビデオテープレコーダ（ＶＴＲ）や大容量・高速テープストレージ等の第１の記録・再生手段２４、ＨＤＤ２８およびＰＣ２９並びにモニタ用の表示器３０で構成されたノンリニア編集装置等の第２の記録・再生手段と成る外部編集手段３１により構成される。
【００２９】
複数のビデオカメラ２１ａ〜２１ｎは、被写体の映像を光学的に記録した画像をアナログビデオ信号Ｖａ〜Ｖｎに変換してビデオ／オーディオ・インターフェース２３に供給する。マイクロホン２２ａ〜２２ｎからはアナログオーディオ信号Ａａ〜Ａｎを収音してビデオ／オーディオ・インターフェース２３に供給する。
【００３０】
ビデオ／オーディオ・インターフェース２３に供給されたビデオ信号Ｖａ〜Ｖｎおよびオーディオ信号Ａａ〜Ａｎはビデオ／オーディオ・インターフェース２３内のＡＤＣによってデジタルデータに変換され、デジタルビデオデータＤＶａ〜ＤＶｎおよびデジタルオーディオデータＤＡａ〜ＤＡｎからオリジナルのマスターテープデータ３２を生成するためにビデオテープレコーダ（ＶＴＲ）またはテープストレージ から成る第１の記録・再生手段２４に供給される。テープストレージでは、記録用ヘッドに薄膜（コイル）ヘッド１個、再生用にはＭＲ（Ｍａｇｎｅｔｏ  Ｒｅｓｉｓｉｔｉｖｅ）またはＧＭＲ（Ｇｉａｎｔ−Ｍａｇｎｅｔｏ  Ｒｅｓｉｓｉｔｉｖｅ）ヘッド１個を使用している。この場合、記録ヘッドによりトラック幅１０μｍ以下で記録されたトラックはマルチ構成のＭＲ又はＧＭＲヘッドで読むため、ある程度トラックのトレースがずれても再生信号は正確に出力される。
【００３１】
テープストレージ ２４に挿入された磁気テープカセット２７中の磁気テープには、オリジナルマスターテープデータ３２の素材としてのビデオ／オーディオデータＤＶａ〜ＤＶｎおよびデジタルオーディオデータＤＡａ〜ＡＤｎを記録してオリジナルマスターテープ２５を生成する。このオリジナルマスターテープ２５のマスターテープデータ３２をノンリニア編集装置となる外部編集手段３１に供給する。
【００３２】
上述の形態例においては、オリジナルマスターテープ２５を記録・再生する磁気媒体として、１つの磁気テープカセット２７を使用しているが複数の磁気テープカセット２７を作成する様にしても良い。
【００３３】
ノンリニア編集装置となる外部編集手段３１は、テープストレージ２４から出力されたオリジナルマスターテープデータ３２を受け取り、外部編集手段３１内のＨＤＤ２８のハードデスィク（ＨＤ）にオリジナルマスターテープデータ３２を記録する。このＨＤに記録したオリジナルマスターテープデータ３２は編集者により、モニタ用の表示器３０に基づいてＰＣ２９によって編集が成される。
【００３４】
つぎに、ノンリニア編集装置となる外部編集手段３１で編集されたオリジナルマスターテープデータ３２の編集データ３３はオリジナルマスターテープ２５にコピーされて編集マスターテープ２６が成生される。
【００３５】
上述のＨＤＤ２８のＨＤに記録したオリジナルマスターテ−プデータ３２を編集するための具体的なＰＣとしてはＰｏｗｅｒ Ｍａｃ（パワー・マック）のＧ５のように高速な処理が可能で、大容量のＨＤＤを内蔵し、映像／音声を非圧縮で編集可能な編集ソフト搭載のものであれば、テープストレージ２４からのオリジナルマスターデータ３２をＰＣ２９の周辺機器（外付ＨＤＤ２８のような）として組み合わせた簡単で廉価なノンリニア編集装置３１で高度な編集および編集マスターテープ２６の制作が可能となる。
【００３６】
なお、ノンリニア編集装置３１を使用してオフライン編集処理を行う場合には、編集者が、ＰＣ２９の表示器３０に表示されたＧＵＩ等を操作することで、編集者の編集操作に応答して、ＨＤＤ２８のＨＤに記録されたオリジナルマスターテープデータ３２がアクセスされ、このアクセスに伴って編集点を決めたり、エフェクトを設定したりする。その結果、編集データ３３を簡単に生成することが出来る。
【００３７】
次に、図２乃至図４に基づいて、スタジオ内でＡＶ（映像／音響）データを収録編集する場合について具体的に説明する。
【００３８】
ＡＶ編集用のデータ編集システムとしての収録条件としては、ビデオカメラ２１ａ〜２１ｄからのビデオ信号を４ＣＨ，マイクロホン２２ａ〜２２ｐからのオーディオ信号を１６ＣＨ分、収録するものと仮定して以下説明を行う。テープ上の記録パターンとして図２に幅広テープ（例えば１／２インチテープ）、図３に幅狭テープ（例えば１／４インチテープ）を示す。図２，図３ともにトラック上のビデオ信号４ＣＨのデータをＶ１〜Ｖ４でオーディオ信号１６ＣＨのデータをＡ１〜Ａ１６で表している。
【００３９】
図２は幅広のオリジナルマスターテープ２５の長手方向と交差する方向に斜めに１フレーム分のトラック３４を形成した場合のトラックパターンを示すもので
トラック幅は１０μｍ以下に選択されている。１フレームのトラック上にはビデオデータＶ１−オーディオデータＡ1〜Ａ８−ビデオデータＶ２、ビデオデータＶ３−オーディオデータＡ９〜Ａ１６−ビデオデータＶ４が記録されている。
【００４０】
図３は幅狭のオリジナルマスターテープ２５の長手方向と交差する方向に斜めに１フレーム分のトラック３４を形成した場合のトラックパターンを示すもので
トラック幅は１０μｍ以下に選択されている。１フレームのトラック上には８トラックの４トラッックにビデオデータＶ１−オーディオデータＡ1〜Ａ８−ビデオデータＶ２、他の４トラックにビデオデータＶ３−オーディオデータＡ９〜Ａ１６−ビデオデータＶ４が記録されている。
【００４１】
上述の様なトラック配置において、従来の編集方法では例えば、オーディオデータＡ１２の出来が悪かった場合、新規録音又は他のセッションのトラック３４から出来の良い部分をオーディオデータＡ１２に上書きしていたが、トラック幅１０μm以下ではＶＴＲでの上書きが現実不可能となるが、本発明では上書きを行わず、テープストレージを用いてＭＲ又はＧＭＲヘッドで読むため、ある程度トラックのトレースがずれても再生信号は正確に出力される
【００４２】
以下、図４によってスタジオ収録の場合のデータ編集システムおよびデータ編集方法について説明する。図４はスタジオ内でのデータ収録の場合の編集方法およびテープパターンの概略を示す。まずビデオデータ／オーディオデータともに一回で収録ＯＫとはいかないので何回か収録を行うのが通常のパターンであり、例えばＮ回収録したとし、各収録データのパターンを図４（Ａ）（Ｃ）のオリジナルマスターテープ２５および編集後の編集マスターテープ２６においてセッション１〜セッションＮとし、各セション内のテープのトラックの記録パターンを図２または図３に示すものとする。
【００４３】
図４（Ａ）に示す収録時のオリジナルマスターテープ２５の各セッション１〜Ｎの１セッションを１時間とすると１０８０００フレームのデータがある。Ｎ回のセッションで仮に全体でセッション２が良いが、図２および図３で説明した、ビデオデータＶ１の９０００フレームから５５０００フレームまでＮＧ,オーディオデータＡ６の９８０００フレームから１２３００フレームまでＮＧ, オーディオデータＡ１３の１０００フレームから３０００フレームまでＮＧだった場合に各フレームにおけるベストと思われる箇所をＮ回のセッションＮの中から選択し、フレーム・位置情報をマーキングする。
【００４４】
それから、セッション２および入れ換え変更する部分の全ての情報を含むデータを第１の記録・再生手段（テープストレージ）２４の編集メディアである磁気テープカートリッジ２７内のオリジナルマスターテープ２５にコピーする。
【００４５】
この編集メディアを構成する第１の記録・再生装置２４の磁気テープカートリッジ２７内のオリジナルマスターテープ２５のオリジナルマスターデータ３５と編集に必要なデータ３６は外部編集手段である第２の記録・再生手段（例えばＰＣ）３１に転送される。
【００４６】
次に、第２の記録・再生手段３１によりセッション２のＮＧ部分を削除し、ＯＫ部分に入れ換えを行う。最良のセッション状態にビデオデータＶ１〜Ｖ４と,オーディオデータＡ１〜Ａ１６を入れ換えた後、ビデオデータＶ１〜Ｖ４に関しては映像補正である輪郭補正、色調補整等を行い、オーディオデータＡ１〜Ａ１６に関しては音声調整である音量調整、ＥＱ（イコライザ）調整等を行い、いわゆる編集マスタ１、や編集マスタ−２等の編集データ３３を作成する。編集マスタ１、２の作成後確認を行い問題なければ図３（Ｃ）のようにオリジナルマスターデータ３５のあるオリジナルマスターテープ２５に編集データ３３をコピーすることで編集された、編集マスターテープ２６を作成する。
【００４７】
また、編集マスターテープ２６の使用方法において、ビデオデータ２ＣＨ・オーディオデータ８ＣＨまたはビデオデータ１ＣＨ・オーディオデータ４ＣＨの様にチャンネル数が収録時のチャンネル数より少ない場合は、オリジナルマスターデータ３５や編集マスタ１から再編集を行い編集マスタ２，３の作成も可能である。これらも全てオリジナルマスタデ−タ３５のあるオリジナルマスターテープ２５にコピーしておくと後々の管理が有効に出来る。また各編集マスタ１、２等の編集データ３３は使用したセッションＮＯやフレーム・位置情報が添付されており再編集の場合の情報整理に役立てる事が出来る。
【００４８】
さらに、図５によってライブ収録の場合のデータ編集システムおよびデータ編集方法について説明する。図５はライブでのデータ収録の場合の編集方法およびテープパターンの概略を示す。
【００４９】
ライブ収録はスタジオ収録と違ってやり直しが利かない「一発取り」である。この場合図５に示すようにセッション１のみとなる。ライブ収録のためオーディオデータはミキサーで調整してあってもノイズ・エコー・かぶり等の不具合が多少ともあり、ビデオデータもビデオカメラの手ぶれ・明るさ不足等の不具合があるため、全体の補正のために一旦機器内臓の編集メディアである第１の記録・再生手段（テープストレージ）２４のオリジナルマスターテープ２５にコピーする。
【００５０】
それから、ビデオデータおよびオーディオデータともにノイズリダクション処理、各種編集処理を行い鑑賞に堪えうる編集マスタ１に仕上げる。またスタジオ収録と同様に編集マスタ２，３等を作成可能となる。仕上がった編集マスターテープ２６は全てオリジナルマスターデータ３５のあるオリジナルマスターテープ２５にコピーしておくと後々の管理が有効に出来る。
【００５１】
図６（Ａ）（Ｂ）は、リニア／ノンリニ・アハイブリッド編集の具体的な編集方法を説明するテープパターンを示すもので、第１の記録・再生手段２４によって図６（Ａ）に示すオリジナルマスターテープ２５上には各セッション１〜Ｎが記録済みでＩＮ／ＯＵＴ点も確認済みであるとする。
【００５２】
上述の編集システム２０によって、たとえば、図６（Ａ）に示すマスターテープ２５にデータ素材が記録済みの各セッション1〜Ｎを再生させた結果２セッションをベースに１セッションの「イ」部分、Ｎ−１セッションの「ロ」部分、３セッションの「ニ」部分をインサート編集すると共に「ハ」部分はマスターテープ中に最適なデータ素材が無いため他の第２の記録・再生装置のＨＤＤ２８から、または生演奏の再演データをインサート編集するものとする。
【００５３】
上述のマスタ−テープ２５のインサートを行う部分「イ」「ロ」「ハ」「ニ」部分およびベースとなるセッション２を図６（Ｂ）に示す様にノンリニア編集装置３１を構成する第２の記録。再生手段のＨＤＤ２８に転送する。この場合、「イ」部分、「ロ」部分、「ハ」部分、「ニ」部分のインサート編集する部分とセッション２部分は破線に示す様にＰＢの１倍速あるいは倍速再生状態で走行させ、編集に関係のないセッション４、５、・・Ｎは高速にアクセスさせる。たとえば１４ｍ／Ｓｅｃ程度に選択する。この様な構成にすると、マスターテープ２５の「イ」「ロ」「ニ」のＩＮ点ポジショニングのため従来のプリロール動作、バックヒッチ動作は無くＩＮ点を指定すると自動的にＩＮ点手前数十フレーム前まで高速アクセスで来てそこからＰＢ走行する。よってマスターテープ２５の損傷を防ぎ、編集時間の短縮化が可能となる。
【００５４】
次に、ノンリニア編集装置３１内で編集されえた編集データ３３は第１の記録・再生装置２４内ノオリジナルマスターテープ２５にコピーされて、編集マスターテープ２６となされる。
【００５５】
本発明によれば、記録メディアがテープであるため映像・音声の高画質（ハイビジョン）・高音質化による  データ大容量化に対応可能であり、コスト的にも他メディアと比較して有利である。
【００５６】
本発明によれば、再生ヘッドにマルチ構造にしたＭＲ又はＧＭＲヘッドを使用するため、大容量のデータの高速読み取り及び転送が可能である。  
【００５７】
本発明によれば、従来の編集方法である不具合箇所の「上書き」をしないため、機器による正確なフレーム位置検出やそれにかかる時間が不要となり、スピーディーな編集作業が可能となる。
【００５８】
本発明によれば、カセットテープを使用するため編集後の運用時の可搬性や保管時の信頼性確保に優れたものが得られる。
【図面の簡単な説明】
【００５９】
【図１】本発明のデータ編集システムおよびデータ編集方法の１形態例を示すブロック図である。
【図２】本発明のデータ編集システムおよびデータ編集方法に用いるマスターテープの１セッション 内のトラック説明図である。
【図３】本発明のデータ編集システムおよびデータ編集方法に用いるマスターテープの１セッション 内の他のトラック説明図である。
【図４】本発明のデータ編集システムおよびデータ編集方法のスタジオ収録方法を説明するためのテープパターン図である。
【図５】本発明のデータ編集システムおよびデータ編集方法のライブ収録方法を説明するためのテープパターン図である。
【図６】本発明のデータ編集システムおよびデータ編集方法の具体的なハイブリッド編集による収録方法を説明するためのテープパターン図である。
【図７】従来のデータ編集システムおよびデータ編集方法のブロック図である。
【図８】従来のデータ編集システムおよびデータ編集方法のインサート編集説明用テープパターン図である。
【図９】従来のデータ編集システムおよびデータ編集方法のプリロールの説明図である。
【符号の説明】
【００６０】
２０・・データ編集システム、２１ａ〜２１ｎ・・ビデオカメラ、  ２２ａ〜２ｎ・・マイクロホン、２３・・ビデオ／オーディオ・インターフェース、２４・・第１の記録・再生手段、（テープストレージ）、２５・・オリジナルマスターテープ、２６・・編集マスターテープ、２７・・磁気テープカートリッジ、２８・・ＨＤＤ、２９・・ＰＣ、３１・・ノンリニア編集装置（第２の記録・再生手段、外部編集手段）
【図１】
2005260859.tif 000003
【図２】
2005260859.tif 000004
【図３】
2005260859.tif 000005
【図４】
2005260859.tif 000006
【図５】
2005260859.tif 000007
【図６】
2005260859.tif 000008
【図７】
2005260859.tif 000009
【図８】
2005260859.tif 000010
【図９】
2005260859.tif 000011